(57)【要約】【課題】ストレーナ本体が比較的細い場合でも適用でき、また、フィルタユニットの構造の複雑化やコスト高を招くことなく、略管状で一体物のストレーナ本体の内部に、略平面状のフィルタを有し略板状のユニット本体を備えたフィルタユニットを挿入して配設することができるオイルストレーナを提供する。【解決手段】フィルタユニットＵ２は、略平面状のフィルタＦを有し全体形状が略板状のユニット本体１１と、該ユニット本体の上流入側端末部にて一側が開放されたコ字状に形成された端末フレーム２５とを備え、ユニット本体の上流入側端末部には、ストレーナ本体内部通路のフィルタのオイル流出側に対応する部分を遮る端末縦壁１４が設けられ、端末フレームとストレーナ本体の間に、爪部１６と嵌合穴とで構成された脱落防止手段が設けられている、ことを特徴とする。【選択図】図６
2012050983.tif 000002
【特許請求の範囲】
【請求項１】
略管状で一体物のストレーナ本体の内部にフィルタユニットが挿入して配設されるオイルストレーナであって、
前記フィルタユニットは、略平面状のフィルタを有し全体形状が略板状のユニット本体と、該ユニット本体のオイル流入側端末部の周縁の少なくとも一部に沿って形成された端末フレームとを備え、
前記端末フレームは、一側が開放されたコ字状に形成されており、
前記ユニット本体のオイル流入側端末部には、前記ストレーナ本体内部通路の前記フィルタのオイル流出側に対応する部分を遮る端末縦壁が設けられ、前記端末フレームは前記端末縦壁の周縁の一部に沿って形成されており、
前記ユニット本体の側面部と前記端末フレームの外周部とは、前記フィルタユニットを前記ストレーナ本体内に挿入した際に、前記ストレーナ本体の内周部にガイドされてがたつき無く収容されるように、形状および寸法が設定されており、
前記端末フレームと前記ストレーナ本体の間に、前記フィルタユニットの脱落を防止する脱落防止手段が設けられ、該脱落防止手段は、前記端末フレームの両側部にそれぞれ設けられた外方に突出する爪部と、前記ストレーナ本体の内周部に形成され、前記爪部がそれぞれ嵌合する嵌合穴と、で構成されている、
ことを特徴とするオイルストレーナ。
【請求項２】
前記端末縦壁の少なくとも一部をフィルタで構成した、ことを特徴とする請求項１に記載のオイルストレーナ。
【請求項３】
前記端末フレームの各爪部に対応する部位の内面どうしを連結する連結壁部が設けられている、ことを特徴とする請求項１又は２に記載のオイルストレーナ。
【請求項４】
略管状で一体物のストレーナ本体の内部にフィルタユニットが挿入して配設されるオイルストレーナであって、
前記フィルタユニットは、略平面状のフィルタを有するユニット本体と、該ユニット本体のオイル流入側端末部の周縁の少なくとも一部に沿って形成された端末フレームとを備え、
前記フィルタは、当該フィルタの外周を支持するための枠状のフィルタフレームに対して所定角度だけ傾斜して配置され、前記フィルタの周縁部と前記フィルタフレームとの間は連続したフィルタ側壁によって遮蔽され連結されており、
前記端末フレームは、前記フィルタの上流端部の周縁と、そこから立ち下がる左右の前記フィルタ側壁の上流端部の周縁に沿って、前記フィルタの上流端部の反対側が開放されたコ字状に形成され、
前記ユニット本体の側面部と前記端末フレームの外周部とは、前記フィルタユニットを前記ストレーナ本体内に挿入した際に、前記ストレーナ本体の内周部にガイドされてがたつき無く収容されるように、形状および寸法が設定されており、
前記端末フレームと前記ストレーナ本体の間に、前記フィルタユニットの脱落を防止する脱落防止手段が設けられ、該脱落防止手段は、前記端末フレームの両側部にそれぞれ設けられた外方に突出する爪部と、前記ストレーナ本体の内周部に形成され、前記爪部がそれぞれ嵌合する嵌合穴と、で構成されている、
ことを特徴とするオイルストレーナ。
【請求項５】
前記ユニット本体の両側部に長手方向へ延びるリブが形成されると共に、前記ストレーナ本体の内周部の前記ユニット本体に対応する部位には、前記リブを係合させる長手方向に沿った係合溝部が設けられており、前記フィルタユニットが前記ストレーナ本体内に挿入される際には、前記ユニット本体の両側部のリブがそれぞれ前記係合溝部内に係合して挿入される、ことを特徴とする請求項１から４の何れかに記載のオイルストレーナ。
【発明の詳細な説明】
【技術分野】
【０００１】
この発明は、オイルストレーナ、特に、略管状で一体物のストレーナ本体の内部にフィルタユニットが挿入して配設されるオイルストレーナに関する。
【背景技術】
【０００２】
従来、例えば自動車等の車両用のオイルストレーナとして、例えば特許文献１に開示されているように、ストレーナ本体を一体物の管状体で構成し、このストレーナ本体の一端側からフィルタユニットを挿入し保持させることにより、ストレーナ本体の内部にフィルタユニットが配設されてなるものは公知である。
【０００３】
かかる構成を採用することにより、ストレーナ本体を二つ割り等の分割体で形成し略板状のフィルタユニットを挟み込んで分割体を接合する場合（例えば特許文献２参照）に比して、ストレーナ本体の製作およびフィルタユニットの組み込み工程を大幅に簡略化することができる。
【先行技術文献】
【特許文献】
【０００４】
【特許文献１】特開２００１−１２０９２０号公報
【特許文献２】特開平８−１２１１３８号公報
【発明の概要】
【発明が解決しようとする課題】
【０００５】
しかしながら、この特許文献１に開示されたオイルストレーナでは、フィルタユニットをストレーナ本体の一端側（上流側）の開口部から挿入できるようにするために、フィルタはオイル流出側（下流側）の端末が閉塞された略筒状に形成されており、ストレーナ本体が比較的細い場合には適用し難く、また、フィルタユニットの構造も複雑化しコスト高になる、という難点があった。
【０００６】
そこで、この発明は、略管状で一体物のストレーナ本体の内部に、略平面状のフィルタを有し全体形状が略板状のユニット本体を備えたフィルタユニットを挿入して配設することができるオイルストレーナを提供することを、基本的な目的としてなされたものである。
【課題を解決するための手段】
【０００７】
このため、本願発明に係るオイルストレーナは、略管状で一体物のストレーナ本体の内部にフィルタユニットが挿入して配設されるオイルストレーナであって、前記フィルタユニットは、略平面状のフィルタを有し全体形状が略板状のユニット本体と、該ユニット本体のオイル流入側端末部の周縁の少なくとも一部に沿って形成された端末フレームとを備え、前記端末フレームは、一側が開放されたコ字状に形成されており、前記ユニット本体のオイル流入側端末部には、前記ストレーナ本体内部通路の前記フィルタのオイル流出側に対応する部分を遮る端末縦壁が設けられ、前記端末フレームは前記端末縦壁の周縁の一部に沿って形成されており、前記ユニット本体の側面部と前記端末フレームの外周部とは、前記フィルタユニットを前記ストレーナ本体内に挿入した際に、前記ストレーナ本体の内周部にガイドされてがたつき無く収容されるように、形状および寸法が設定されており、前記端末フレームと前記ストレーナ本体の間に、前記フィルタユニットの脱落を防止する脱落防止手段が設けられ、該脱落防止手段は、前記端末フレームの両側部にそれぞれ設けられた外方に突出する爪部と、前記ストレーナ本体の内周部に形成され、前記爪部がそれぞれ嵌合する嵌合穴と、で構成されている、ことを特徴としたものである。
【０００８】
この場合において、前記端末縦壁の少なくとも一部をフィルタで構成してもよい。
【０００９】
また、この場合において、前記端末フレームの各爪部に対応する部位の内面どうしを連結する連結壁部が設けられている、ことが好ましい。
【００１０】
また、本願の今一つの発明に係るオイルストレーナは、略管状で一体物のストレーナ本体の内部にフィルタユニットが挿入して配設されるオイルストレーナであって、前記フィルタユニットは、略平面状のフィルタを有するユニット本体と、該ユニット本体のオイル流入側端末部の周縁の少なくとも一部に沿って形成された端末フレームとを備え、前記フィルタは、当該フィルタの外周を支持するための枠状のフィルタフレームに対して所定角度だけ傾斜して配置され、前記フィルタの周縁部と前記フィルタフレームとの間は連続したフィルタ側壁によって遮蔽され連結されており、前記端末フレームは、前記フィルタの上流端部の周縁と、そこから立ち下がる左右の前記フィルタ側壁の上流端部の周縁に沿って、前記フィルタの上流端部の反対側が開放されたコ字状に形成され、前記ユニット本体の側面部と前記端末フレームの外周部とは、前記フィルタユニットを前記ストレーナ本体内に挿入した際に、前記ストレーナ本体の内周部にガイドされてがたつき無く収容されるように、形状および寸法が設定されており、前記端末フレームと前記ストレーナ本体の間に、前記フィルタユニットの脱落を防止する脱落防止手段が設けられ、該脱落防止手段は、前記端末フレームの両側部にそれぞれ設けられた外方に突出する爪部と、前記ストレーナ本体の内周部に形成され、前記爪部がそれぞれ嵌合する嵌合穴と、で構成されている、ことを特徴としたものである。
【００１１】
以上の場合において、前記ユニット本体の両側部に長手方向へ延びるリブが形成されると共に、前記ストレーナ本体の内周部の前記ユニット本体に対応する部位には、前記リブを係合させる長手方向に沿った係合溝部が設けられており、前記フィルタユニットが前記ストレーナ本体内に挿入される際には、前記ユニット本体の両側部のリブがそれぞれ前記係合溝部内に係合して挿入される、ようにしてもよい。
【発明の効果】
【００１２】
本願発明によれば、略平面状のフィルタを有し全体形状が略板状のユニット本体の側面部と端末フレームの外周部とはストレーナ本体の内周部にガイドされており、端末フレームとストレーナ本体の間にフィルタユニットの脱落を防止する脱落防止手段が設けられているので、略平面状のフィルタを有し全体形状が略板状のユニット本体を備えたフィルタユニットを、オイル流入側からストレーナ本体内に挿入し、脱落することなくストレーナ本体内に保持させることができる。従って、ストレーナ本体の製作およびフィルタユニットの組み込み工程の複雑化を伴うことなく、略平面状のフィルタを有し全体形状が略板状のユニット本体を備えた比較的簡素な構造のフィルタユニットをストレーナ本体内に組み込むことができる。また、ストレーナ本体が比較的細い場合にも、有効に適用することが可能になる。
特に、ユニット本体のオイル流入側端末部にストレーナ本体内部通路の前記フィルタのオイル流出側に対応する部分を遮る端末縦壁が形成されているので、当該部分（ストレーナ本体内部通路のフィルタのオイル流出側に対応する部分）から、オイルがフィルタで濾過されることなく流出側に漏れ出ることを確実に防止できる。しかも、この場合において、ユニット本体のオイル流入側端末部に前記端末フレームを支障なく形成することができる。また、特に、脱落防止手段は、具体的には、端末フレームの両側部にそれぞれ設けられた外方に突出する爪部と、前記ストレーナ本体の内周部に形成され、前記爪部がそれぞれ嵌合する嵌合穴と、で構成されていることにより、フィルタユニットをストレーナ本体内に完全に挿入した際には、端末フレームの各爪部が対応する嵌合穴にそれぞれ嵌合して、フィルタユニットをストレーナ本体に対して確実に保持し、その脱落を防止することができる。
【００１３】
この場合において、前記端末縦壁の少なくとも一部をフィルタで構成することにより、フィルタユニットの濾過面積を増大させることができる。或いは、この増大分に相当するだけユニット本体のフィルタ面積を小さくして、フィルタユニットを小型化し、ひいてはオイルストレーナ自体のコンパクト化を図ることもできる。
【００１４】
以上の場合において、好ましくは、前記端末フレームの各爪部に対応する部位の内面どうしを連結する連結壁部を設けることにより、端末フレームの剛性を高めることができ、爪部と嵌合穴との係合が弱くなることを有効に抑制することができる。
【００１５】
また、本願の今一つの発明によれば、略平面状のフィルタを有するユニット本体の側面部と端末フレームの外周部とはストレーナ本体の内周部にガイドされており、端末フレームとストレーナ本体の間にフィルタユニットの脱落を防止する脱落防止手段が設けられているので、略平面状のフィルタを有するユニット本体を備えたフィルタユニットを、オイル流入側からストレーナ本体内に挿入し、脱落することなくストレーナ本体内に保持させることができる。従って、ストレーナ本体の製作およびフィルタユニットの組み込み工程の複雑化を伴うことなく、略平面状のフィルタを有するユニット本体を備えたフィルタユニットをストレーナ本体内に組み込むことができる。また、ストレーナ本体が比較的細い場合にも、有効に適用することが可能になる。
特に、フィルタはフィルタフレームに対して所定角度だけ傾斜して配置され、フィルタの周縁部とフィルタフレームとの間は連続したフィルタ側壁によって遮蔽され連結されていることにより、フィルタユニットの上流側からフィルタの下方へ流入したオイルは、フィルタで濾過されて上方へ流出して行く。従って、ストレーナ本体内部通路のオイルの流れの一部を遮るために、フィルタユニットのユニット本体の上流側端末部に端末縦壁を設ける必要はない。また、特に、脱落防止手段は、具体的には、端末フレームの両側部にそれぞれ設けられた外方に突出する爪部と、前記ストレーナ本体の内周部に形成され、前記爪部がそれぞれ嵌合する嵌合穴と、で構成されていることにより、フィルタユニットをストレーナ本体内に完全に挿入した際には、端末フレームの各爪部が対応する嵌合穴にそれぞれ嵌合して、フィルタユニットをストレーナ本体に対して確実に保持し、その脱落を防止することができる。
【００１６】
以上の場合において、前記ユニット本体の両側部に長手方向へ延びるリブを形成すると共に、前記ストレーナ本体の内周部の前記ユニット本体に対応する部位には、前記リブを係合させる長手方向に沿った係合溝部を設けておき、前記フィルタユニットを前記ストレーナ本体内に挿入する際には、前記ユニット本体の両側部のリブがそれぞれ前記係合溝部内に係合して挿入されるようにすることにより、フィルタユニットのストレーナ本体内への挿入作業がより容易かつ確実に行え、また、フィルタユニットをストレーナ本体内により安定して保持させることができる。
【図面の簡単な説明】
【００１７】
【図１】本発明の第１の実施形態に係るオイルストレーナの正面図である。
【図２】図１におけるＹ２−Ｙ２線に沿ったオイルストレーナの縦断面図である。
【図３】図１におけるＹ３−Ｙ３線に沿って断面したオイルストレーナ断面の斜視図である。
【図４】図３の要部を拡大して示す説明図である。
【図５】前記オイルストレーナに組み込まれるフィルタユニットの斜視図である。
【図６】本発明の第２の実施形態に係るオイルストレーナに組み込まれるフィルタユニットの斜視図である。
【図７】図６のフィルタユニットのストレーナ本体への組み込み状態を示す断面図である。
【図８】本発明の第３の実施形態に係るオイルストレーナに組み込まれるフィルタユニットの斜視図である。
【図９】図８のフィルタユニットのストレーナ本体への組み込み状態を示す断面図である。
【図１０】図８のフィルタユニットの端末フレーム及び端末縦壁のストレーナ本体への組み込み状態を示す断面図である。
【図１１】本発明の第４の実施形態に係るオイルストレーナに組み込まれるフィルタユニットの端末フレーム及び端末縦壁のストレーナ本体への組み込み状態を示す断面図である。
【図１２】本発明の第５の実施形態に係るオイルストレーナに組み込まれるフィルタユニットの斜視図である。
【図１３】本発明の第６の実施形態に係るオイルストレーナに組み込まれるフィルタユニットの端末フレーム及び端末縦壁のストレーナ本体への組み込み状態を示す断面図である。
【図１４】図１３の要部を拡大して示す断面図である。
【発明を実施するための形態】
【００１８】
以下、本発明の実施形態について、添付図面を参照しながら詳細に説明する。
図１は本発明の第１の実施形態に係るオイルストレーナの正面図、図２は図１におけるＹ２−Ｙ２線に沿った前記オイルストレーナの縦断面図、図３は図１におけるＹ３−Ｙ３線に沿って断面したオイルストレーナ断面の斜視図、図４は図３の要部を拡大して示す説明図、図５は前記オイルストレーナに組み込まれるフィルタユニットの斜視図である。
【００１９】
図１，図２及び図３から分かるように、本実施形態に係るオイルストレーナＳ１は、管状でストレーナ本体Ｂ１の内部にフィルタユニットＵ１を配設して構成されている。前記オイルストレーナＳ１は、例えば自動車のエンジンやトランスミッション等に付設されたオイルパンの上側に配置して用いられるもので、ストレーナ本体Ｂ１の上部はやや斜めに折り曲げられ、その先端（上端）にはオイル流出側（下流側）接続フランジ２が一体的に形成されている。オイルは、図１，図２及び図３における斜め下方から上方に向かって吸い上げられる（図２における破線矢印ｃ参照）。
【００２０】
前記ストレーナ本体Ｂ１は、好ましくは断面形状が略矩形の管状体で、より好ましくは合成樹脂材料を用いて例えば射出成形法により一体成形されており、フィルタユニットＵ１は、ストレーナ本体Ｂ１のオイル流入側（上流側）開口部３から長手方向軸線に沿って挿入されることにより、ストレーナ本体Ｂ１内に組み込まれている。
【００２１】
フィルタユニットＵ１は、図３，図４及び図５に示されるように、所定メッシュの平面網状のフィルタＦを有し全体形状が略板状に形成されたユニット本体１１を備えている。フィルタＦの外周は枠状のフィルタフレーム１２で支持されており、該フィルタフレーム１２の内側には多数の桟１３が升目状に設けられ、略平面状のフィルタＦを補強している。
【００２２】
ユニット本体１１のオイル流入側（上流側）端末部には、その周縁の少なくとも一部に沿ってフレーム体１５（端末フレーム）が形成されている。より具体的に説明すれば、本実施形態では、ユニット本体１１の上流側端末部には、ストレーナ本体Ｂ１の内部通路においてフィルタＦのオイル流出側に対応する部分を遮る壁部１４（端末縦壁）が形成されており、この端末縦壁１４の周縁の一部（図５における下縁および左右の側縁）に沿って、上流側へ突出するように板状の端末フレーム１５が形成されている。尚、フィルタユニットＵ１は、好ましくは、その全体が、合成樹脂材料を用いて例えば射出成形法により一体成形されている。尚、フィルタＦ部分を金属メッシュとし、フィルタフレーム１２，桟１３，端末縦壁１４及び端末フレーム１５を合成樹脂材料で成形することもできる。
【００２３】
このように、ユニット本体１１の上流側端末部にストレーナ本体Ｂ１内部通路のフィルタＦのオイル流出側に対応する部分を遮る端末縦壁１４が形成されることにより、当該部分から、オイルがフィルタＦで濾過されることなく流出側に漏れ出ることを確実に防止できる。しかも、この場合において、ユニット本体１１の上流側端末部に端末フレーム１５を支障なく形成することができる。
【００２４】
ユニット本体１１の側面部と端末フレーム１５の外周部とは、フィルタユニットＵ１をストレーナ本体Ｂ１内に挿入した際に、ストレーナ本体Ｂ１の内周部にガイド（案内）されてがたつき無く収容されるように、形状および寸法が設定されている。
【００２５】
本実施形態では、好ましくは、端末フレーム１５はストレーナ本体Ｂ１の内周部に対応した環状に形成され、該環状の端末フレーム１５の外周部全体がストレーナ本体Ｂ１の内周部にガイドされている。これにより、フィルタユニットＵ１のストレーナ本体Ｂ１内での保持状態をより一層安定したものとすることができる。
【００２６】
図４に詳しく示すように、端末フレーム１５の左右側面には、外方に突出する一対の爪部１６が形成されている。一方、ストレーナ本体Ｂ１の対応部分には、前記爪部１６と嵌合する一対の嵌合穴５が形成されている。そして、フィルタユニットＵ１をストレーナ本体Ｂ１内に完全に挿入した際には、端末フレーム１５の各爪部１６が対応する嵌合穴５に嵌合し、これにより、フィルタユニットＵ１がストレーナ本体Ｂ１に対して確実に保持され、その脱落が防止される。
【００２７】
尚、ストレーナ本体Ｂ１の上部の折り曲げ部分の内部には、ユニット本体１１の先端部１７を係合させる凹部４が形成されており、フィルタユニットＵ１がストレーナ本体Ｂ１内に完全に挿入された際には、ユニット本体先端部１７は前記凹部４に係合するようになっている。
【００２８】
以上のように、端末フレーム１５とストレーナ本体Ｂ１の間にフィルタユニットＵ１の脱落を防止する脱落防止手段としての爪部１５と嵌合穴５が設けられているので、略平面状のフィルタを有し全体形状が略板状のユニット本体１１を備えたフィルタユニットＵ１を、上流側からストレーナ本体Ｂ１内に挿入し、脱落することなくストレーナ本体Ｂ１内に保持させることができる。従って、ストレーナ本体Ｂ１の製作およびフィルタユニットＵ１の組み込み工程の複雑化を伴うことなく、略平面状のフィルタＦを有し全体形状が略板状のユニット本体１１を備えた比較的簡素な構造のフィルタユニットＵ１をストレーナ本体Ｂ１内に組み込むことができる。また、ストレーナ本体Ｂ１が比較的細い場合にも、有効に適用することができるのである。
【００２９】
次に本発明の他の実施形態について説明する。尚、以下の説明において、第１の実施形態における場合と同様の構成を備え同様の作用をなすものについては、同一の符号を付し、それ以上の説明は省略する。
図６は本発明の第２の実施形態に係るオイルストレーナに組み込まれるフィルタユニットＵ２の斜視図、また、図７は図６に示したフィルタユニットＵ２のストレーナ本体Ｂ２への組み込み状態を示す断面図である。
【００３０】
この第２の実施形態に係るフィルタユニットＵ２は、端末フレーム２５が環状ではなく一側が開放されてコ字状に形成されている点が、第１の実施形態のものと異なっている。
また、ストレーナ本体Ｂ２の内周部には、フィルタユニットＵ２のユニット本体１１に対応する部位に長手方向に沿った一対の係合溝部ｇ２が設けられており、フィルタユニットＵ２がストレーナ本体Ｂ２内に挿入される際には、ユニット本体１１の左右の側面部（つまり、フィルタフレーム１２の左右側部）が前記係合溝部ｇ２内に係合して挿入される。
【００３１】
このように、ユニット本体１１の側面部がストレーナ本体Ｂ２の内周部に形成された係合溝部ｇ２に挿入されることにより、フィルタユニットＵ２のストレーナ本体Ｂ２内への挿入作業がより容易かつ確実に行え、また、フィルタユニットＵ２をストレーナ本体Ｂ２内により安定して保持させることができる。
【００３２】
図８は本発明の第３の実施形態に係るオイルストレーナに組み込まれるフィルタユニットＵ３の斜視図、図９は図８に示したフィルタユニットＵ３のストレーナ本体Ｂ３への組み込み状態を示す断面図、また、図１０は図８に示したフィルタユニットＵ３の端末フレーム及び端末縦壁のストレーナ本体Ｂ３への組み込み状態を示す断面図である。
【００３３】
この第３の実施形態に係るフィルタユニットＵ３は、フィルタフレーム２２の左右側部に長手方向に延びるリブ２２ｒが形成されている点が、第２の実施形態のものと異なっている。これに伴って、ストレーナ本体Ｂ３の内周部には、フィルタユニットＵ３のユニット本体２１に対応する部位には、前記リブ２２ｒを係合させる長手方向に沿った一対の係合溝部ｇ３が設けられており、フィルタユニットＵ３がストレーナ本体Ｂ３内に挿入される際には、ユニット本体２１の左右の側面部（つまり、フィルタフレーム２２の左右側部）のリブ２２ｒが前記係合溝部ｇ３内に係合して挿入される。
【００３４】
以上の実施形態では何れも、端末縦壁１４は、ストレーナ本体内部通路のフィルタＦのオイル流出側に対応する部分を完全に遮るものであったが、前記端末縦壁１４の少なくとも一部をフィルタＦで構成してもよい。
図１１は本発明の第４の実施形態に係るオイルストレーナに組み込まれるフィルタユニットＵ４の端末フレーム及び端末縦壁のストレーナ本体Ｂ３への組み込み状態を示す断面図である。この第４の実施形態に係るフィルタユニットＵ４では、端末壁部２４はその周縁部分を除く領域が全てフィルタＦで構成されている。
【００３５】
このように、端末縦壁２４の少なくとも一部をフィルタＦで構成することにより、フィルタユニットＵ４の濾過面積を増大させることができる。或いは、この増大分に相当するだけユニット本体２１のフィルタ面積を小さくして、フィルタユニットＵ４を小型化し、ひいてはオイルストレーナ自体のコンパクト化を図ることもできる。尚、この実施形態では、端末縦壁２４をフィルタＦで構成したことにより、端末フレーム２５の剛性が低下して爪部１６と嵌合穴５との係合が弱くなる怖れがあるので、爪部１６，１６に対応する部位の内面どうしを連結する連結壁２９を設けることが好ましい。
【００３６】
図１２は、本発明の第５の実施形態に係るオイルストレーナに組み込まれるフィルタユニットＵ５の斜視図である。
この実施形態では、フィルタユニットＵ５のユニット本体３１の上流側端末部に端末縦壁は設けられていない。フィルタＦはフィルタフレーム３２に対して所定角度だけ傾斜して配置され、フィルタＦの周縁部とフィルタフレーム３２との間は連続したフィルタ側壁３８によって遮蔽され連結されている。
【００３７】
端末フレーム３５は、フィルタＦの上流端部の周縁と、そこから立ち下がる左右のフィルタ側壁３８の上流端部の周縁に沿ってコ字状に形成されている。
この場合には、図１２において破線矢印ｄで示されるように、オイルは、端末縦壁で遮られることなくフィルタＦの下方から流入し、フィルタＦで濾過されて上方へ流出して行く。
【００３８】
以上の実施形態は何れも、フィルタユニットの端末フレームに形成した爪部１６をストレーナ本体に設けた嵌合穴５に嵌合させることで、フィルタユニットのストレーナ本体からの脱落を防止するようにしたものであったが、この代わりに、端末フレームをストレーナ本体に溶着固定するようにしてもよい。
図１３は本発明の第６の実施形態に係るオイルストレーナに組み込まれるフィルタユニットＵ６の端末フレーム４５及び端末縦壁４４のストレーナ本体Ｂ６への組み込み状態を示す断面図、また、図１４は図１３の要部を拡大して示す断面図である。
【００３９】
本実施形態では、ストレーナ本体Ｂ６の上流側（図１３及び図１４における右側）の開口部３から長手方向軸線に沿ってフィルタユニットＵ６を挿入し、図１３及び図１４に示すように、ストレーナ本体Ｂ６の上流側のボス部８にフィルタユニットＵ６の端末フレーム４５を嵌合させた状態で、例えばレーザ溶着法あるいは超音波溶着法を適用することにより、端末フレーム４５の外周部を前記ボス部８の内周部に固定するようにしている。これにより、フィルタユニットＵ６のストレーナ本体Ｂ６からの脱落が確実に防止される。
【００４０】
尚、本実施形態では、端末フレーム４５は、第１の実施形態におけるものと同様に、ユニット本体４１の上流側端末側にて、端末縦壁４４の周縁の一部に沿って上流側へ突出するように板状に形成され、また、ストレーナ本体Ｂ１の内周部に対応した環状に形成されており、該環状の端末フレーム４５の外周部全体がストレーナ本体Ｂ１の内周部にガイドされている。
【００４１】
図１４に詳しく示されるように、前記ボス部８の内周部は、上流側から順に、第１内周面Ｈ１と、これよりも小さい第２内周面Ｈ２と、これよりも更に小さい第３内周面Ｈ３とを備え、第１内周面Ｈ１と第２内周面Ｈ２との間に斜面で連結された内周段部Ｈｄが形成されている。また、前記第２内周面Ｈ２と第３内周面Ｈ３との間に、端末縦壁４４を当て止める環状壁部９が形成されている。
【００４２】
一方、前記端末フレーム４５の外周部は、上流側から順に、第１外周面Ｋ１と、これよりも小さい第２外周面Ｋ２と、これよりも更に小さい第３外周面Ｋ３とを備え、第２外周面Ｋ２と第３外周面Ｋ３との間に斜面で連結された外周段部Ｋｄが形成されている。尚、第３外周面Ｋ３は端末縦壁４４の外周部に位置している。
【００４３】
端末フレーム４５の第１外周面Ｋ１は前記ボス部８の第１内周面Ｈ１と略等しいが僅かに小さく、端末フレーム４５が支障なくボス部８内に挿入でき、且つ挿入状態でがたつくことがないように寸法設定されている。また、ボス部８の第３内周面Ｈ３は、端末フレーム４５の第３外周面Ｋ３よりも小さく設定され、ストレーナ本体Ｂ６のボス部８にフィルタユニットＵ６の端末フレーム４５を完全に挿入して嵌合させた際に、端末縦壁４４を環状壁部９で確実に当て止めることができるようになっている。
【００４４】
更に、端末フレーム４５の第２外周面Ｋ２，第３外周面Ｋ３は、ボス部８の第１内周面Ｈ１，第２内周面Ｈ２よりもそれぞれ小さく設定されている。従って、ボス部８に端末フレーム４５を完全に挿入して嵌合させた際には、端末フレーム４５の第２外周面Ｋ２とボス部８の第１内周面Ｈ１の間に環状の第１空隙部Ｊ１が形成され、また、端末フレーム４５の第３外周面Ｋ３とボス部８の第２内周面Ｈ２の間に環状の第２空隙部Ｊ２が形成されるようになっている。
【００４５】
溶着は、端末フレーム４５の外周段部Ｋｄ及びその近傍とボス部８の内周段部Ｈｄ及びその近傍とが突き当たった状態で行われ、主としてこの突き当たった部分Ｄが溶融する。しかし、この溶融部分Ｄの前後は環状の第１及び第２空隙部Ｊ１，Ｊ２で挟まれているので、余剰な溶融樹脂はこれら空隙部Ｊ１，Ｊ２内に溜まり、内側および外側に漏れ出ることはない。つまり、内外に溶着バリがはみ出ることがないようになっている。
【００４６】
尚、本発明は、上記実施態様に限定されるものではなく、その要旨を逸脱しない範囲において、種々の変更や改良等が可能であることは言うまでもない。
【産業上の利用可能性】
【００４７】
本発明は、オイルストレーナ、特に、略管状で一体物のストレーナ本体の内部にフィルタユニットが挿入して配設されるオイルストレーナに対して、有効に適用することができる。
【符号の説明】
【００４８】
５  （ストレーナ本体の）嵌合穴
１１，２１，３１  （フィルタユニットの）ユニット本体
１２，２２，３２  フィルタフレーム
１４，２４  端末縦壁
２５，３５  端末フレーム
１６  （端末フレームの）爪部
２２ｒ  （ユニット本体の）リブ
２９  連結壁部
３８  フィルタ側壁
Ｂ２，Ｂ３  ストレーナ本体
Ｆ  フィルタ
ｇ２，ｇ３  （ストレーナ本体の）係合溝部
Ｓ１  オイルストレーナ
Ｕ２，Ｕ３，Ｕ４，Ｕ５  フィルタユニット
【図１】
2012050983.tif 000003
【図２】
2012050983.tif 000004
【図３】
2012050983.tif 000005
【図４】
2012050983.tif 000006
【図５】
2012050983.tif 000007
【図６】
2012050983.tif 000008
【図７】
2012050983.tif 000009
【図８】
2012050983.tif 000010
【図９】
2012050983.tif 000011
【図１０】
2012050983.tif 000012
【図１１】
2012050983.tif 000013
【図１２】
2012050983.tif 000014
【図１３】
2012050983.tif 000015
【図１４】
2012050983.tif 000016